(57)【要約】  【課題】  梱包及び開梱作業を容易にして作業コストを低減させると共に、耐久性に優れた輸送用梱包容器を提供する。  【解決手段】  パレット１と、パレット１の上部に組み付けられる外箱２と、外箱２の上部に組み付けられるキャップ３とからなる輸送用梱包容器１０において、外箱２は、多層段ボール紙により形成された４個の側壁体１２ａ、１２ｂが組み合わされて上部及び下部に開口を有する形状のものであって、側壁体１２ａ、１２ｂは、側壁体本体と、補強体とからなり、側壁体本体は、横断面が略コ字状に形成されており、４個の側壁体の中の２個の側壁体は、側壁体本体の中央部内側面に補強体を備えて対向する位置に配置されており、残りの２個の側壁体は、中央部外側面に補強体を備えて対向する位置に配置されている。【選択図】図１
2015189511.tif 000002
【特許請求の範囲】
【請求項１】
パレットと、該パレットの上部に組み付けられる外箱と、該外箱の上部に組み付けられるキャップとからなる輸送用梱包容器において、
前記外箱は、多層段ボール紙により形成された４個の側壁体が組み合わされて上部及び下部に開口を有する形状のものであって、
前記側壁体は、側壁体本体と、補強体とからなり、前記側壁体本体は、横断面が略コ字状に形成されており、
前記４個の側壁体の中の２個の側壁体は、前記側壁体本体の中央部内側面に前記補強体を備えて対向する位置に配置されており、
残りの２個の側壁体は、中央部外側面に補強体を備えて対向する位置に配置されていることを特徴とする輸送用梱包容器。
【請求項２】
各々の補強体の側縁は、隣り合う側壁体の側壁体本体の側縁に突き合わされていることを特徴とする請求項１に記載の輸送用梱包容器。
【請求項３】
補強体は、側壁体本体とは異なる材質の多層段ボール紙からなることを特徴とする請求項１又は２に記載の輸送用梱包容器。
【請求項４】
補強体は、側壁体本体とは異なる厚みの多層段ボール紙からなることを特徴とする請求項１〜３のいずれか１項に記載の輸送用梱包容器。
【請求項５】
補強体は、側壁体本体とは異なる断面形状の多層段ボール紙からなることを特徴とする請求項１〜４のいずれか１項に記載の輸送用梱包容器。
【発明の詳細な説明】
【技術分野】
【０００１】
本発明は、大型で重量がある商品などを搬送するのに適した状態に包装するための輸送用梱包容器に関するものである。
【背景技術】
【０００２】
従来から、輸送用の梱包容器において、多層段ボール紙を用いたものは知られている（特許文献１）。この特許文献１に記載された梱包容器３０は、図６に示すように、多層段ボール紙を折り畳んで上下開口の長方体状に形成し、一側縁部においてパネルの両端縁部を重ね合せ、側縁部を外側面にテープ状体を貼着して連結し、重ね合された内側面に重ね合わせた端縁部を突き合わせて多層段ボール紙の補強シート３１を取り付けるとともに、補強シート３１に対向する内側面に多層段ボール紙の補強シート３２を取り付けたケース３３と、該ケース３３の下部及び上部を収める多層段ボール紙のトレイ３４及びキャップ３５とから構成されている。
【０００３】
上記特許文献１に記載の梱包容器は、補強シートが取り付けられることによって耐久性が増加すると共に、梱包容器内の物品を取り出す際に、段ボール紙を破ることなく迅速に開梱することができるようになった。
【先行技術文献】
【特許文献】
【０００４】
【特許文献１】実開平１−７６４５４号公報
【発明の概要】
【発明が解決しようとする課題】
【０００５】
しかしながら、上記特許文献１に記載の梱包容器では、一側縁部においてパネルの両端縁部を重ね合せ、側縁部を外側面にテープ状体を貼着して連結しており、他の３つの角部は一体となっているため、開梱時に広い作業スペースを必要としていた。また、補強シートは、対向する一方の一対の側面のみに取り付けられているので、対向する他方の一対の側面にも強度を持たせたい場合には、新たに補強シートを２枚増やして取り付ける必要があり、梱包作業のコストを増大させるものであった。
【０００６】
本発明は、上述した問題点を解決するためになされたものであり、梱包及び開梱作業を容易にして作業コストを低減させると共に、耐久性に優れた輸送用梱包容器を提供することを目的としている。
【課題を解決するための手段】
【０００７】
請求項１の発明は、パレットと、該パレットの上部に組み付けられる外箱と、該外箱の上部に組み付けられるキャップとからなる輸送用梱包容器において、前記外箱は、多層段ボール紙により形成された４個の側壁体が組み合わされて上部及び下部に開口を有する形状のものであって、前記側壁体は、側壁体本体と、補強体とからなり、前記側壁体本体は、横断面が略コ字状に形成されており、前記４個の側壁体の中の２個の側壁体は、前記側壁体本体の中央部内側面に前記補強体を備えて対向する位置に配置されており、残りの２個の側壁体は、中央部外側面に補強体を備えて対向する位置に配置されていることを特徴としている。
【０００８】
本発明に係る輸送用梱包容器を構成する外箱は、４個の側壁体の側壁体本体の中央部に補強体を備えているので、耐久性を向上させることができる。
【０００９】
また、外箱は、４個の側壁体が組み合わされて構成されているので、開梱時に１個の側壁体を除去することによって、内容物を取り出すことができ、開梱作業の時間を短縮することができると共に、狭い作業スペースでも開梱作業を行うことができる。
【００１０】
請求項２の発明は、請求項１の発明において、各々の補強体の側縁は、隣り合う側壁体の側壁体本体の側縁に突き合わされていることを特徴としている。したがって、各々の補強体が外箱組み立て時に位置決めの機能を果たすことができ、組み立て作業が容易になると共に、耐久性を向上させることができる。
【００１１】
請求項３の発明は、請求項１又は２の発明において、補強体は、側壁体本体とは異なる材質の多層段ボール紙からなることを特徴としている。したがって、ベースとなる側壁体本体を所定の材質としておき、補強体の材質を変更することで、要求される耐久性のレベルに対応させることができるので、製造コストを増大させることなく、量産性を向上させることができる。
【００１２】
請求項４の発明は、請求項１〜３のいずれかの発明において、補強体は、側壁体本体とは異なる厚みの多層段ボール紙からなることを特徴としている。したがって、ベースとなる側壁体本体を所定の厚みとしておき、補強体の厚みを変更することで、要求される耐久性のレベルに対応させることができるので、製造コストを増大させることなく、量産性を向上させることができる。
【００１３】
請求項５の発明は、請求項１〜４のいずれかの発明において、補強体は、側壁体本体とは異なる断面形状の多層段ボール紙からなることを特徴としている。したがって、ベースとなる側壁体本体を所定の断面形状としておき、補強体の断面形状を変更することで、要求される耐久性のレベルに対応させることができるので、製造コストを増大させることなく、量産性を向上させることができる。
【発明の効果】
【００１４】
請求項１の発明では、輸送用梱包容器の耐久性を向上させることができる。また、開梱作業の時間を短縮することができると共に、狭い作業スペースでも開梱作業を行うことができる。
【００１５】
請求項２の発明では、組み立て作業が容易になると共に、耐久性を向上させることができる。また、請求項３〜５の発明では、製造コストを増大させることなく、量産性を向上させることができる。
【図面の簡単な説明】
【００１６】
【図１】本発明に係る輸送用梱包容器の第１実施形態を示す分解斜視図である。
【図２】第１実施形態の外箱の横断面図である。
【図３】第２実施形態の外箱の横断面図である。
【図４】第２実施形態の外箱を固着した状態を示す横断面図である。
【図５】（ａ）多層段ボール紙の一例を示す横断面図である。（ｂ）多層段ボール紙の他例を示す横断面図である。
【図６】従来の輸送用梱包容器を示す分解斜視図である。
【発明を実施するための形態】
【００１７】
次に、本発明の実施形態を図面に基づいて説明する。図１は、本発明に係る輸送用梱包容器の第１実施形態を示す分解斜視図である。また、図２は、第１実施形態の外箱の横断面図である。図１に示すように、輸送用梱包容器１０は、パレット１と、このパレット１の上部に組み付けられる外箱２と、この外箱２の上部に組み付けられるキャップ３とから構成されている。そして、外箱２は、上部及び下部に開口を有する中空形状となっており、下部の開口は、パレット１により塞がれ、上部の開口は、キャップ３により塞がれる。
【００１８】
パレット１は、パレット底面板４とパレット上面板５との間の中央部及び角部に複数の桁体６、６・・が配置され、固定されている。また、パレット上面板５の上面には、ケース底面板７が固定され、このケース底面板７の四方の縁を囲むように、配置され、固着されたケース枠体８ａ、８ｂが上方に向けて立設されている。
【００１９】
キャップ３は、キャップ上面板９の四方の縁を囲むように、配置され、固着されたキャップ枠体１１ａ、１１ｂ・・が下方に向けて立設されている。
【００２０】
外箱２は、多層段ボール紙により形成された４個の側壁体１２ａ、１２ａ、１２ｂ、１２ｂが組み合わされて上部及び下部に開口１３を有する中空形状となっている。また、側壁体は、２種類の側壁体１２ａ、１２ｂから構成されており、一方の側壁体１２ｂは、横断面が略コ字状に形成された側壁体本体１４ｂの中央部内側面に補強体１５ｂを備えており、一対の側壁体１２ｂ、１２ｂは、開口１３を挟んで対向する位置に配置されている。
【００２１】
また、他方の側壁体１２ａは、横断面が略コ字状に形成された側壁体本体１４ａの中央部外側面に補強体１５ａを備えており、一対の側壁体１２ａ、１２ａは、開口１３を挟んで対向する位置に配置されている。そして、第１実施形態の外箱２では、図２に示すように、各々の補強体１５ａ、１５ｂの側縁は、隣り合う側壁体１２ａ又は１２ｂの側壁体本体１４ａ又は１４ｂの側縁との間に空間部１６ａ又は１６ｂが形成されている。
【００２２】
側壁体本体１４ａ、１４ｂは、長方形状の多層段ボール紙の両端部から所定長の位置に形成されている折り曲げ部を略９０度折り曲げることによって、横断面が略コ字状となるように成形されている。
【００２３】
また、補強体１５ａ、１５ｂは、長方形状の多層段ボール紙から形成されており、幅方向の寸法は、側壁体本体１４ａ、１４ｂの幅方向の寸法と一致させている。
【００２４】
尚、側壁体本体１４ａ、１４ｂと補強体１５ａ、１５ｂは、多層段ボール紙から構成されており、同じ材質を使用してもよいが、異なる材質とすることもできる。例えば、補強体１５ａ、１５ｂの多層段ボール紙を、側壁体本体１４ａ、１４ｂの多層段ボール紙よりも硬質な材質の段ボール紙を使用することによって、強度及び耐久性を向上させることができる。
【００２５】
図３は、第２実施形態の外箱の横断面を示す図である。第２実施形態の外箱２０は、各々の補強体１９ａ、１９ｂの側縁を隣り合う側壁体１７ａ又は１７ｂの側壁体本体１８ａ又は１８ｂの側縁に突き合わされている。このように構成することによって、各々の補強体１９ａ、１９ｂが外箱２０の組み立て時に位置決めの機能を果たすことができ、組み立て作業が容易になると共に、耐久性を向上させることができる。
【００２６】
図４は、第２実施形態の外箱２０を粘着テープ２１ａ、２１ｂにより、固着した状態を示す横断面を示す図である。図４に示すように、粘着テープ２１ａ又は２１ｂによって、補強体１９ａ又は１９ｂと隣り合う側壁体本体１８ａ又は１８ｂとを一体化している。尚、内側の４カ所の粘着テープ２１ｂは省略することもできる。その場合には、開梱時に、外側の２箇所の粘着テープ２１ａを剥がすことによって、外側の側壁体１７ｂを１個除去することができ、そこから、内容物を取り出すことができる。したがって、開梱作業の時間を短縮することができると共に、狭い作業スペースでも開梱作業を行うことができる。
【００２７】
尚、図１及び図２を用いて説明した第１実施形態の外箱２を粘着テープにより固着する場合には、空間部１６ａ又は１６ｂを塞ぐ又は跨ぐようにして、補強体１５ａ又は１５ｂと隣り合う側壁体本体１４ａ又は１４ｂとに粘着テープを貼り付けるようにしてもよいが、空間部１６ａ又は１６ｂから露出している側壁体本体１４ａ又は１４ｂと、隣り合う側壁体本体１４ｂ又は１４ａとに粘着テープを貼り付けるようにすることもできる。
【００２８】
図５（ａ）は、多層段ボール紙の一例を示す横断面図である。図５（ａ）に示す多層段ボール紙２２ａは、複両面段ボール紙であり、波形状に形成されている２枚の中芯２３ａ、２３ｂと、３枚のライナー２４、２５、２６を用いて形成されている。ここで、２枚の中芯２３ａ、２３ｂには、異なる種類の中芯（フルート）を用いており、ライナー２６とライナー２５との間の長さは、ライナー２４とライナー２５との間の長さよりも大きくなるように形成されている。
【００２９】
図５（ｂ）は、多層段ボール紙の他例を示す横断面図である。図５（ｂ）に示す多層段ボール紙２２ｂは、複両面段ボール紙であり、波形状に形成されている２枚の中芯２３ｂ、２３ｂと、３枚のライナー２７、２８、２９を用いて形成されている。ここで、２枚の中芯２３ｂ、２３ｂには、同一種類の中芯（フルート）を用いており、ライナー２７とライナー２８との間の長さは、ライナー２９とライナー２８との間の長さとはほぼ同じ長さとなるように形成されている。
【００３０】
本発明に係る輸送用梱包容器は、側壁体本体に図５（ａ）に示す多層段ボール紙を使用し、補強体に図５（ｂ）に示す多層段ボール紙を使用する態様を採用することができる。即ち、補強体に、側壁体本体とは異なる厚みの多層段ボール紙を使用する態様と、補強体に、側壁体本体とは異なる断面形状の多層段ボール紙を使用する態様をとることができる。このような態様とすることによって、要求される耐久性のレベルに対応させることができるので、製造コストを増大させることなく、量産性を向上させることができる。
【００３１】
尚、図５（ａ）及び図５（ｂ）で示した多層段ボール紙の断面は一例を示したものであり、この他にも種々の断面を有する多層段ボール紙を本発明に適用することができることは言うまでもない。例えば、図５（ａ）に示した大きい波形状の中芯２３ｂを、小さい波形状の中芯２３ａに変更すれば、多層段ボール紙の厚みを薄くすることができる。また、図５（ａ）又は図５（ｂ）に示した中央のライナー２５又は２８を２枚にして対向する面をのりや接着剤等で貼り合せたものであれば、多層段ボール紙の強度をさらに向上させることができる。
【産業上の利用可能性】
【００３２】
本発明の輸送用梱包容器は、大型で重量がある商品などを搬送するのに適した梱包容器として使用される。
【符号の説明】
【００３３】
１  パレット
２、２０  外箱
３  キャップ
４  パレット底面板
５  パレット上面板
６  桁体
７  ケース底面板
８ａ、８ｂ  ケース枠体
９  キャップ上面板
１０  輸送用梱包容器
１１ａ、１１ｂ  キャップ枠体
１２ａ、１２ｂ、１７ａ、１７ｂ  側壁体
１３  開口
１４ａ、１４ｂ、１８ａ、１８ｂ  側壁体本体
１５ａ、１５ｂ、１９ａ、１９ｂ  補強体
１６ａ、１６ｂ  空間部
２１ａ、２１ｂ  粘着テープ
２２ａ、２２ｂ  多層段ボール紙
２３ａ、２３ｂ  中芯
２４、２５、２６、２７、２８、２９  ライナー
【図１】
2015189511.tif 000003
【図２】
2015189511.tif 000004
【図３】
2015189511.tif 000005
【図４】
2015189511.tif 000006
【図５】
2015189511.tif 000007
【図６】
2015189511.tif 000008